(57)【要約】      （修正有）【課題】金庫がテーブルから落下等して、意図しない衝撃を受けた場合であっても、金庫のロック外れを防止することが可能なロック機構を提供する。【解決手段】金庫のロック機構は、金庫の上蓋に設けられた係止片４ａ、４ｂと、金庫の本体に設けられ、前記係止片４ａ、４ｂを係止する係止板５ａ、５ｂと、この係止板５ａ、５ｂを駆動する錠前スベリ板６と、この錠前スベリ板６をロックするセットレバー７と、このセットレバー７に接合して、このセットレバー７の回転を規制する係止部材１２とを有する。【選択図】図５
2016160642.tif 000002
【特許請求の範囲】
【請求項１】
金庫の上蓋に設けられた係止片と、金庫の本体に設けられ、前記係止片を係止する係止板と、この係止板を駆動する錠前スベリ板と、この錠前スベリ板をロックするセットレバーと、このセットレバーと接合して、このセットレバーのロックが解除される方向の回転を規制する係止部材とを有することを特徴とする金庫のロック機構。
【請求項２】
前記係止部材は、前記セットレバーのモーメントとは逆方向のモーメントを発生するように回転可能に保持されていることを特徴とする請求項１項記載の金庫のロック機構。
【請求項３】
前記セットレバーは一端側に回転軸を有し、他端側に前記錠前スベリ板をロックするロック部を有すると共に、前記係止部材は、セットレバーの重心よりも前記ロック部よりの位置でセットレバーに接合することを特徴とする請求項１項記載の金庫のロック機構。
【発明の詳細な説明】
【技術分野】
【０００１】
本発明は、手提げ金庫のロック機構に関するものである。
【背景技術】
【０００２】
手提げ金庫は、例えば図１に示すように、暗証番号や指紋等の入力を行う入力部２を有し、この入力部２から入力された暗証番号や指紋が、登録されたものと一致した場合に、金庫の前面内部に設けられた、後述するロック部が解除される。
このロックを解除した状態で開閉レバー３を押し下げると、金庫１の上蓋に設けられた係止片４ａ、４ｂの係止が外されて、金庫１の上蓋が図のように開く。
【０００３】
金庫１がロックされている状態のロック機構の平面図を図２に示す。
この金庫のロック機構は、金庫の上蓋に設けられた係止片４a、４ｂを係止する係止板５a、５ｂと、この係止板５a、５ｂの係止を解除するための錠前スベリ板６と、この錠前スベリ板６をロック部Ｒでロックするセットレバー７と、このセットレバー７を時計回り方向に押圧するセットばね８と、セットレバー７のロックを解除するためのソレノイド９と、このソレノイド９とセットレバー７とを接続するターンレバー１０と、前記ロックを解除した状態で、前記係止片４a、４ｂと係止板５a、５ｂとの係止を解除するための開閉レバー３とで構成されている。
【０００４】
金庫のロックを解除した状態を図３に示す。
図示しない入力部によって、暗証番号などが入力されると、ソレノイド９はターンレバー１０との接合部を矢印Ｘで示すように上方向に引き上げることにより、ターンレバー１０は、軸Ａを中心に矢印Ｙで示すように時計回りに回転する。
このターンレバー１０の回転によって、ターンレバー１０のセットレバー７との接合部が移動し、セットレバー７は軸Ｂを中心に矢印Ｚで示すように反時計回りに回転して、錠前スベリ板６のロックが解除される。
【０００５】
続いて、係止片４a、４ｂの係止を解いて、金庫を解放する状態を図４に示す。
ロックが解除された状態で、金庫の開閉レバー３を矢印Ｌで示すように下方向に押し下げると、錠前スベリ板６は軸Ｃを中心に回転し、突起１１が矢印Ｍで示すように係止板５aを軸Ｄを中心に回転させる。
そして、この係止板５aが矢印Ｎで示すように係止板５ｂを押し上げて、係止板５ｂは、軸Ｃを中心に回転する。
以上の動作で、上蓋の係止片４a、４ｂと係止板５a、５ｂとの係止が解除されて、金庫の上蓋が開く。
【０００６】
【特許文献１】実開平５−５７２７９号
【発明の開示】
【発明が解決しようとする課題】
【０００７】
上述のように、錠前スベリ板をセットレバーでロックすることで金庫はロックされている。
しかしながら、このロックは、金庫の側面への衝撃などによって、意図せず解除されることがあった。これは、セットレバーの片側のみが回転軸で保持されているため、図中左方向からの衝撃があった場合、このセットレバーの重心に半時計回りのモーメントが発生するためである。
【０００８】
上記の特許文献１においては、上述のような問題を解決するために、回転アーム（セットレバーに対応する部材）を２つ設けている。
しかしながら、このような回転アームを２つ設ける場合、これらの回転アームが連動して開閉動作を行う必要があり、これらのアームに凹部と凸部を設け、噛み合わせる必要があり、構造が複雑化すると共に、ロック機構が大型化するという問題があった。また、アームの回転動作不具合が発生する可能性がある。
【課題を解決するための手段】
【０００９】
上記課題を解決するため、本発明は、請求項１に記載するように、金庫の上蓋に設けられた係止片と、金庫の本体に設けられ、前記係止片を係止する係止体と、この係止体を駆動する錠前スベリ板と、この錠前スベリ板をロックするセットレバーと、このセットレバーと接合して、このセットレバーのロックが解除される方向の回転を規制する係止部材とを有することを特徴としている。
また、請求項２に記載するように、前記係止部材は、前記セットレバーのモーメントとは逆方向のモーメントを発生するように回転可能に保持されていることを特徴としている。
【００１０】
更に、請求項３に記載するように、前記セットレバーは一端側に回転軸を有し、他端側に前記錠前スベリ板をロックするロック部を有すると共に、前記係止部材は、セットレバーの重心よりも前記ロック部よりの位置でセットレバーに接合することを特徴としている。
【発明の効果】
【００１１】
本発明によれば、金庫に意図しない衝撃が加えられた場合であっても、金庫のロック外れを簡単な構成で防止することを可能とするものである。
【発明を実施するための最良の形態】
【００１２】
以下、本発明を実施するための最良の形態について、図面を参照して詳細に説明する。
【実施例】
【００１３】
以下、図に沿って本発明の一実施例を説明する。
図５は本発明の一実施例のロック機構を説明するための平面図である。
４ａ、４ｂは金庫の上蓋に設けられた係止片、５ａ、５ｂは係止片４ａ、４ｂを係止する係止板、６はこの係止板５ａ、５ｂの係止を解除するための錠前スベリ板、７はこの錠前スベリ板６をロックするセットレバー、８はセットレバー７を時計回り方向に押圧するセットばね、９はセットレバー７のロックを解除するためのソレノイド、１０はこのソレノイド９とセットレバー７とを接続するターンレバー、３は前記ロックを解除した状態で、前記係止片４ａ、４ｂと係止板５ａ、５ｂとの係止を解除するための開閉レバーであり、これらは、先に図２乃至図４を用いて説明した構造と同様である。
【００１４】
本実施例では、更にセットレバーの回転を規制する係止部材１２を有しており、この係止部材１２は、回転軸Ｅとセットレバー７との接合部Ｆとセットレバー７の半時計回りの回転を規制するためのバネ部材Ｇとで構成されている。
この回転軸Ｅはセットレバー７の回転軸Ｂとロック部Ｒの間に配置され、接合部Ｆは、セットレバー７の重心Ｊよりもロック部Ｒよりの位置に設けらている。
尚、バネ部材Ｇの他端はターンレバー１０をまたいで、セットレバー７のロック部Ｒ近傍に設けられている。
この係止部材１２のみを図６に示す。
【００１５】
このロックされた状態で、矢印Ｆ方向の衝撃が加えられた場合、セットレバー７には反時計方向のモーメントが発生する。しかしながら、係止部材１２によって、反時計方向の回転は規制されて、ロック外れが防止される。
【００１６】
ここで、セットばね８の強度を増加させることでロック外れを防止することも考えられるが、その場合、ばねの強度をより高めなければならない。
しかしながら、セットばね８の強度を高めると、ロックを解除するための力も、より大きなものとしなければならず、強力で高価なソレノイド９が必要となる。
【００１７】
これに対して、本実施例のように、セットばね８とは別にセットレバー７の回転を規制する係止部材１２を設けることで、小さな力でロック外れを防止することが可能となり、ロック解除を、小さい力で行うことが可能となる。
尚、より小さい力でセットレバー７の回転を規制するためには、回転軸Ｂから、なるべく離れた位置で係止部材１２とセットレバー７とを接合されることが好ましい。
本実施例では、ターンレバー１０との接合部付近で接合させている。
また、係止部材１２の重心が回転軸Ｅに近い位置になるように、セットレバー７の軸Ｂとターンレバー１０との接合部の間に係止部材の回転軸Ｅと接合部Ｆを設けている。このため、上述の衝撃が加えられた場合に、係止部材１２自体に発生する反時計回りのモーメントは極めて小さいものとなる。
【００１８】
本発明は、上記の実施例に限定されるものではなく、例えば、係止部材の衝撃に対するモーメントの方向を、セットレバーのモーメントの発生方向と逆方向になるような構造にしてもよい。
具体的には、図７に示すように、係止部材の重心を回転軸より図中下側に位置するような構造とする。
このときの係止部材のモーメントの大きさを調節するための荷重調節部材１３を設けてもよい。
【産業上の利用可能性】
【００１９】
本発明は、意図しない衝撃などを受けた場合でも、確実にロック外れを防止することが可能な信頼性の高い金庫を提供するものである。
【図面の簡単な説明】
【００２０】
【図１】図１は金庫の外形を示す斜視図
【図２】図２は金庫のロック状態を示すロック機構の平面図
【図３】図３は金庫のロックを解除した状態を示すロック機構の平面図
【図４】図４は金庫の上蓋を解放した状態を示すロック機構の平面図
【図５】図５は本実施例装置のロック機構の平面図
【図６】図６は本実施例装置の係止部材を示す平面図
【図７】図７は本実施例装置の他の係止部材の例を示す平面図
【符号の説明】
【００２１】
４ａ、４ｂ：係止片
５ａ、５ｂ：係止板
６：錠前スベリ板
７：セットレバー
１２：係止部材
Ｒ：ロック部
【図１】
2016160642.tif 000003
【図２】
2016160642.tif 000004
【図３】
2016160642.tif 000005
【図４】
2016160642.tif 000006
【図５】
2016160642.tif 000007
【図６】
2016160642.tif 000008
【図７】
2016160642.tif 000009